(57)【特許請求の範囲】
【請求項１】
上下方向に延在し、外周面から径方向の外側に向けて、容器体の口部の開口端上に配置されるフランジ部が突設されたシリンダ部と、
該シリンダ部内に上下摺動可能に嵌合されたピストン筒部と、
該ピストン筒部に接続されるとともに前記シリンダ部内から上方に上方付勢状態で押込み可能に起立したステム部と、
該ステム部の上端に装着されるとともに、吐出孔が形成された押下ヘッド部と、を備える吐出ポンプであって、
前記押下ヘッド部が押下された状態で該押下ヘッド部の上下方向に沿った移動を規制する規制部が設けられ、
前記シリンダ部において、前記ピストン筒部よりも上側に位置し、かつ前記フランジ部よりも下側に位置する部分には、該シリンダ部内と容器体内とを連通する空気孔が形成され、
該空気孔は、前記ステム部の外周面側に設けられ、前記フランジ部よりも上方から外部に向けて開口する連通路を通して外部に連通し、
前記シリンダ部内における前記ピストン筒部上には、前記ステム部と前記シリンダ部との間に画成されるとともに前記空気孔が開口し、該空気孔と前記連通路とを連通する環状空間が設けられ、
前記ステム部は、前記環状空間を画成する大径部と、該大径部の上方に連結段部を介して連設され、前記フランジ部から上方に向けて突出する小径部と、を備え、
前記環状空間は、前記シリンダ部において前記空気孔よりも上側に位置する部分内に嵌合された弁筒部により上方から閉塞され、
前記小径部には、前記弁筒部に接続された外ステム部が外挿され、
前記連通路は、前記小径部の外周面に形成され、前記外ステム部の上端よりも上側に位置する部分から当該小径部の下端まで上下方向に延在する主溝部と、前記連結段部に形成され、前記主溝部と前記環状空間とを連通する切欠き溝部と、により構成され、
前記弁筒部は、前記規制部により前記押下ヘッド部が上下方向に沿った移動を規制された状態で、前記空気孔を閉塞するとともに、前記規制部による前記押下ヘッド部の移動の規制が解除されたときに、前記ステム部に伴って上昇して前記空気孔を開放し、
前記外ステム部には、前記規制部による前記押下ヘッド部の移動の規制が解除されたときに、前記連結段部が下方から係合することにより、当該外ステム部が押し上げられて前記空気孔が開放される被係合部が形成されていることを特徴とする吐出ポンプ。
【発明の詳細な説明】
【技術分野】
【０００１】
本発明は、吐出ポンプに関する。
【背景技術】
【０００２】
従来から、例えば下記特許文献１に示すような吐出ポンプが知られている。この吐出ポンプは、上下方向に延在し、外周面から径方向の外側に向けて、容器体の口部の開口端上に配置されるフランジ部が突設されたシリンダ部と、該シリンダ部内に上下摺動可能に嵌合されたピストン筒部と、該ピストン筒部に接続されるとともにシリンダ部内から上方に上方付勢状態で押込み可能に起立したステム部と、該ステム部の上端に装着されるとともに、吐出孔が形成された押下ヘッド部と、を備えている。
【先行技術文献】
【特許文献】
【０００３】
【特許文献１】特許第３５６９３４３号公報
【発明の概要】
【発明が解決しようとする課題】
【０００４】
しかしながら、前記従来の吐出ポンプでは、該吐出ポンプが装着された容器体が、例えば高温環境下におかれた場合、吐出ポンプを操作しない未操作時に容器体内の圧力が不意に上昇し、吐出孔から内容物が漏出するおそれがあった。
【０００５】
本発明は、前述した事情に鑑みてなされたものであって、その目的は、未操作時に容器体内の内容物が吐出孔から漏出するのを抑制することができる吐出ポンプを提供することである。
【課題を解決するための手段】
【０００６】
前記課題を解決するために、本発明は以下の手段を提案している。
本発明に係る吐出ポンプは、上下方向に延在し、外周面から径方向の外側に向けて、容器体の口部の開口端上に配置されるフランジ部が突設されたシリンダ部と、該シリンダ部内に上下摺動可能に嵌合されたピストン筒部と、該ピストン筒部に接続されるとともに前記シリンダ部内から上方に上方付勢状態で押込み可能に起立したステム部と、該ステム部の上端に装着されるとともに、吐出孔が形成された押下ヘッド部と、を備える吐出ポンプであって、前記押下ヘッド部が押下された状態で該押下ヘッド部の上下方向に沿った移動を規制する規制部が設けられ、前記シリンダ部において、前記ピストン筒部よりも上側に位置し、かつ前記フランジ部よりも下側に位置する部分には、該シリンダ部内と容器体内とを連通する空気孔が形成され、該空気孔は、前記ステム部の外周面側に設けられ、前記フランジ部よりも上方から外部に向けて開口する連通路を通して外部に連通し、前記シリンダ部内における前記ピストン筒部上には、前記ステム部と前記シリンダ部との間に画成されるとともに前記空気孔が開口し、該空気孔と前記連通路とを連通する環状空間が設けられ、前記ステム部は、前記環状空間を画成する大径部と、該大径部の上方に連結段部を介して連設され、前記フランジ部から上方に向けて突出する小径部と、を備え、前記環状空間は、前記シリンダ部において前記空気孔よりも上側に位置する部分内に嵌合された弁筒部により上方から閉塞され、前記小径部には、前記弁筒部に接続された外ステム部が外挿され、前記連通路は、前記小径部の外周面に形成され、前記外ステム部の上端よりも上側に位置する部分から当該小径部の下端まで上下方向に延在する主溝部と、前記連結段部に形成され、前記主溝部と前記環状空間とを連通する切欠き溝部と、により構成され、前記弁筒部は、前記規制部により前記押下ヘッド部が上下方向に沿った移動を規制された状態で、前記空気孔を閉塞するとともに、前記規制部による前記押下ヘッド部の移動の規制が解除されたときに、前記ステム部に伴って上昇して前記空気孔を開放し、前記外ステム部には、前記規制部による前記押下ヘッド部の移動の規制が解除されたときに、前記連結段部が下方から係合することにより、当該外ステム部が押し上げられて前記空気孔が開放される被係合部が形成されていることを特徴とする。
【０００７】
この発明によれば、空気孔が、前記連通路を通して外部に連通しているので、容器体内の圧力が上昇しようとしたときに、この圧力を、空気孔および連通路を通して容器体の外部に逃がすことが可能になり、未操作時に容器体内の内容物が吐出孔から漏出するのを抑制することができる。
【０００９】
また、規制部により押下ヘッド部が上下方向に沿った移動を規制された状態で、弁筒部が空気孔を閉塞するので、吐出ポンプの使用を開始する前の流通段階では、容器体内の内容物が、空気孔を通して環状空間内に流入することで不意に外部に漏出するのを抑制することができる。
また、規制部による押下ヘッド部の移動の規制が解除されたときに、弁筒部がステム部に伴って上昇して空気孔を開放するので、吐出ポンプを使用するときには、環状空間の拡縮に伴って、該環状空間内と容器体内とで空気を流通させることにより、スムーズな押下操作を実施できる。さらに、例えば容器体が高温環境下におかれた場合などであっても、容器体内と外部との連通を、空気孔、環状空間および連通路を通して良好に確保することが可能になり、前述の作用効果を確実に奏功させることができる。
【００１１】
また、外ステム部に前記被係合部が形成されているので、規制部により押下ヘッド部が上下方向に沿った移動を規制された状態から、規制部による押下ヘッド部の移動の規制が解除されたときに、外ステム部の被係合部に、ステム部の連結段部が下方から係合する。すると、当該外ステム部がステム部により押し上げられ、外ステム部に接続された弁筒部が上昇することとなり、空気孔を確実に開放することができる。
【００１２】
また、連通路の切欠き溝部が、ステム部の連結段部に形成されて主溝部と環状空間とを連通しているので、連結段部が、外ステム部の被係合部に下方から係合していても、連通路による環状空間と外部との連通を良好に確保することができる。
【発明の効果】
【００１３】
本発明に係る吐出ポンプによれば、未操作時に容器体内の内容物が吐出孔から漏出するのを抑制することができる。
【図面の簡単な説明】
【００１４】
【図１】本発明の一実施形態に係る吐出ポンプの半断面図である。
【図２】図１に示す吐出ポンプを構成する弁部材の上面図である。
【図３】図１に示す吐出ポンプを構成する弁部材の半断面図である。
【図４】図１に示す吐出ポンプの要部の拡大断面図である。
【図５】図１に示す吐出ポンプの流通段階での状態を示す半断面図である。
【発明を実施するための形態】
【００１５】
以下、図面を参照し、本発明の一実施形態に係る吐出ポンプを説明する。
図１に示すように、吐出ポンプ１０は、上下方向に延在し、外周面から径方向の外側に向けて、図示しない容器体の口部の開口端上に配置される環状のフランジ部１１が突設されたシリンダ部１２と、該シリンダ部１２内に上下摺動可能に嵌合されたピストン筒部１３と、該ピストン筒部１３に接続されるとともにシリンダ部１２内から上方に上方付勢状態で押込み可能に起立したステム部１４と、該ステム部１４の上端に装着されるとともに、図示しない吐出孔が形成された押下ヘッド部１５と、を備えている。
【００１６】
この吐出ポンプ１０では、押下ヘッド部１５を押下してステム部１４を下方に押し込み、ピストン筒部１３をシリンダ部１２の内周面に沿って下方に向けて摺動させることにより、前記容器体内の内容物が前記吐出孔から吐出される。
ここで吐出ポンプ１０は、後述する規制部５４による押下ヘッド部１５の上下方向に沿った移動の規制が解除された後、未操作時に押下ヘッド部１５が最上昇位置にある構成となっている。以下では、押下ヘッド部１５が最上昇位置にある状態での吐出ポンプ１０について説明する。
【００１７】
なお本実施形態では、フランジ部１１、シリンダ部１２、ピストン筒部１３およびステム部１４の各中心軸線は、共通軸上に位置している。以下、この共通軸を軸線Ｏといい、軸線Ｏに沿う方向を上下方向といい、上下方向に沿った押下ヘッド部１５側を上側といい、シリンダ部１２側を下側という。また、軸線Ｏに直交する方向を径方向といい、軸線Ｏ回りに周回する方向を周方向という。
【００１８】
シリンダ部１２は、上端に前記フランジ部１１が配設された直筒部１６と、直筒部１６の下端に連設された吸込み筒部１７と、直筒部１６の上端に立設されフランジ部１１から上方に突出する突出筒部１８と、を備えている。
なおフランジ部１１は、直筒部１６に外嵌され該フランジ部１１に下方から当接する環状のパッキン１９を介して前記容器体の口部上に配置される。
【００１９】
吸込み筒部１７の外周面には、上下方向に沿って延在し上端が直筒部１６の下端に連結された縦リブ２０が、周方向に間隔をあけて複数配設されている。
吸込み筒部１７内には、下端部が前記容器体内に配置されるチューブ体２１の上端部が嵌合されている。該チューブ体２１の上端は、直筒部１６の下端から径方向の内側に向けて突設された環状の下弁座部２２に、下方から当接している。
【００２０】
ここで図１、図２および図３に示すように、直筒部１６の下端部内には、下弁座部２２を開閉する下弁体部２３を有する弁部材２４が配設されている。
弁部材２４は、前記下弁体部２３と、内部に該下弁体部２３が配置されるとともに直筒部１６の下端部内に嵌合された下環部２５と、該下環部２５と上下方向に間隔をあけて配設された有底筒状の上筒部２６と、下環部２５と上筒部２６とを連結する連結部２７と、を備えている。下環部２５および上筒部２６は、軸線Ｏと同軸に配設されている。
【００２１】
下弁体部２３は、前記下弁座部２２に離反可能に着座しており、下弁座部２２を閉塞している。該下弁体部２３は、軸線Ｏと同軸に配置された円盤状に形成され、下弁体部２３の外周面と下環部２５の内周面とは、周方向に複数設けられた弾性連結片２８により連結されている。
上筒部２６は、下環部２５よりも小径とされ、上筒部２６の底壁部には、軸線Ｏ上に配置された軸部２９が立設されている。軸部２９の上端は、上筒部２６の上端よりも下方に位置している。
【００２２】
図２および図３に示すように、連結部２７は、軸線Ｏを径方向に挟むように一対配設されている。各連結部２７は、下環部２５に立設された下縦壁部３０と、下縦壁部３０の上端から径方向の内側に向けて突設された横壁部３１と、横壁部３１の径方向の内端から立設され上端が上筒部２６の下端に連結された上縦壁部３２と、を備えている。図２に示すように、下縦壁部３０および上縦壁部３２は、周方向に沿って湾曲している。
【００２３】
また図３に示すように、一対の連結部２７のうち、両上縦壁部３２同士の間には、上下方向に延在する仕切り壁部３３が配設されている。該仕切り壁部３３は軸線Ｏ上に配置されるとともに、該仕切り壁部３３の表裏面は上下方向および径方向の両方向に沿って延在している。仕切り壁部３３の上端は、上筒部２６の下面に連結され、仕切り壁部３３の両側端は、両上縦壁部３２において径方向の内側を向く内面に各別に連結されている。
【００２４】
図１に示すように、本実施形態では、ピストン筒部１３およびステム部１４は一体に形成されている。これらのうち、ピストン筒部１３は、シリンダ部１２の直筒部１６内に上下摺動可能に配設されている。ピストン筒部１３の上端部は、上方に向かうに従い漸次、拡径するとともに、ピストン筒部１３の下端部は、下方に向かうに従い漸次、拡径しており、これらのピストン筒部１３の上下両端部が、シリンダ部１２の直筒部１６の内周面に周方向の全周にわたって液密に摺接している。
【００２５】
またステム部１４は、下端がピストン筒部１３に連結された大径部３４と、該大径部３４の上方に連結段部３５を介して連設され、フランジ部１１から上方に向けて突出する小径部３６と、小径部３６から立設された立上がり筒部３７と、を備えている。
大径部３４の外径は、ピストン筒部１３の内径よりも小さく、大径部３４の下端は、ピストン筒部１３において上端部と下端部との間に位置する中間部に径方向の内側から連結されている。
【００２６】
また大径部３４の下端と、弁部材２４の前記横壁部３１と、の間には、上下方向に延在しステム部１４を上方に付勢する付勢手段３８が設けられている。
小径部３６の外径は、大径部３４の外径よりも小さく、かつ立上がり筒部３７の外径よりも大きく、小径部３６の内径は、大径部３４の内径と同等となっている。また小径部３６は、突出筒部１８から上方に向けて突出している。
【００２７】
また小径部３６の上端内には、立上がり筒部３７内に配設された上弁体部３９が離反可能に着座する上弁座部４０が設けられている。上弁座部４０は、径方向の内側に向かうに従い漸次、下方に向けて傾斜する環状に形成されている。上弁体部３９は球状に形成され、上弁座部４０の上面に着座して上弁座部４０を閉塞している。
【００２８】
そして、この上弁座部４０と前記下弁座部２２との間には、ステム部１４の小径部３６および大径部３４、ピストン筒部１３、並びにシリンダ部１２の直筒部１６の各内部にわたって延在し、内容物が収容される収容室４１が設けられている。
【００２９】
押下ヘッド部１５は、有頂筒状の本体筒部４２と、本体筒部４２の頂壁部４２ａから下方に向けて延設され、ステム部１４に装着される装着筒部４３と、本体筒部４２から径方向の外側に突出するとともに内部が装着筒部４３内に連通し、先端に前記吐出孔が形成されたノズル部４４と、を備えている。本体筒部４２および装着筒部４３は軸線Ｏと同軸に配設されている。
【００３０】
本体筒部４２の下端は、ステム部１４の立上がり筒部３７の上下両端の間に位置し、本体筒部４２の周壁部４２ｂにおける下部の内周面には、雌ねじ部４５が形成されている。
装着筒部４３は、本体筒部４２の下端から下方に向けて突出しており、ステム部１４の立上がり筒部３７に外嵌している。また、装着筒部４３と本体筒部４２の周壁部４２ｂとの間には、上下方向および径方向の両側に沿って延在する補強壁部４６が、周方向に間隔をあけて複数配設されている。補強壁部４６の上端は、本体筒部４２の頂壁部４２ａに連結されるとともに、補強壁部４６の両側端は、本体筒部４２の周壁部４２ｂにおける上部、および装着筒部４３に各別に連結されている。
【００３１】
ここでシリンダ部１２において、ピストン筒部１３よりも上側に位置し、かつ前記フランジ部１１よりも下側に位置する部分には、シリンダ部１２内と前記容器体内とを連通する空気孔４７が形成されている。図示の例では、空気孔４７は、シリンダ部１２の直筒部１６において、内部にステム部１４の大径部３４が配設された直筒部１６の上端部１６ａに形成されている。
【００３２】
また、シリンダ部１２内におけるピストン筒部１３上には、ステム部１４とシリンダ部１２との間に画成されるとともに空気孔４７が開口する環状空間４８が設けられている。該環状空間４８は、ステム部１４の大径部３４と、シリンダ部１２の直筒部１６の上端部１６ａと、の間に画成されており、直筒部１６の上端部１６ａにおいて空気孔４７よりも上側に位置する部分内に嵌合された弁筒部４９により、上方から閉塞されている。
【００３３】
弁筒部４９は、軸線Ｏと同軸に、かつシリンダ部１２の直筒部１６の上端部１６ａ内に上下摺動可能に配設されている。弁筒部４９の上端部は、上方に向かうに従い漸次、拡径するとともに、弁筒部４９の下端部は、下方に向かうに従い漸次、拡径しており、これらの弁筒部４９の上下両端部が、シリンダ部１２の直筒部１６の内周面に周方向の全周にわたって液密に摺接している。
【００３４】
また小径部３６には、弁筒部４９に接続された外ステム部５０が外挿されている。外ステム部５０は、軸線Ｏと同軸であるとともに、シリンダ部１２の直筒部１６の上端部１６ａおよび突出筒部１８、並びに弁筒部４９よりも小径とされており、外ステム部５０の下端（被係合部）５０ａは、弁筒部４９において上端部と下端部との間に位置する中間部に径方向の内側から連結されている。
【００３５】
また、外ステム部５０の下端５０ａは、小径部３６の下端と上下方向の位置が同等とされており、該外ステム部５０の下端５０ａには、ステム部１４の連結段部３５が下方から係合している。
外ステム部５０の上端は、ステム部１４の小径部３６の上端よりも下側に位置しているとともに、押下ヘッド部１５の前記頂壁部４２ａの下面と上下方向に対向している。
【００３６】
そして本実施形態では、空気孔４７は、ステム部１４の外周面１４ａ側に設けられ、フランジ部１１よりも上方から外部に向けて開口する連通路５１を通して外部に連通している。図１および図４に示すように、連通路５１は、環状空間４８を介して空気孔４７に連通している。
【００３７】
該連通路５１は、ステム部１４の小径部３６の外周面に形成され、外ステム部５０の上端よりも上側に位置する部分から当該小径部３６の下端まで上下方向に延在する主溝部５２と、ステム部１４の連結段部３５に形成され、主溝部５２と環状空間４８とを連通する切欠き溝部５３と、により構成されている。なお図示の例では、主溝部５２は、上下方向に沿って延在するとともに、ステム部１４の小径部３６の上下方向の全長にわたって形成されている。
【００３８】
なお図１に示すように、本実施形態では、吐出ポンプ１０には更に、押下ヘッド部１５が押下された状態で該押下ヘッド部１５の上下方向に沿った移動を規制する規制部５４と、前記容器体の口部に装着される装着キャップ５９と、が備えられている。
【００３９】
規制部５４は、シリンダ部１２の突出筒部１８内に嵌合された内筒部５５と、上端が該内筒部５５の上端に連結されるとともに突出筒部１８に外嵌された外筒部５６と、上端が該外筒部５６の上端に連結されるとともに外筒部５６を径方向の外側から囲繞し、外周面に雄ねじ部５７が形成されたねじ筒部５８と、を備えている。これらの内筒部５５、外筒部５６およびねじ筒部５８は、軸線Ｏと同軸に配設されている。
内筒部５５は、外ステム部５０における上下方向の中央部に外挿され、内筒部５５の下端には弁筒部４９の上端が下方から当接している。
【００４０】
装着キャップ５９は、軸線Ｏと同軸に配設されており、前記容器体の口部の外周面に装着される。該装着キャップ５９は、フランジ部１１上に配設された環状の頂壁部５９ａと、頂壁部５９ａの外周縁から下方に向けて延設された周壁部５９ｂと、を備えている。
周壁部５９ｂは、シリンダ部１２の直筒部１６の上端部１６ａを径方向の外側から囲繞しており、前記空気孔４７は、装着キャップ５９内に開口している。なお周壁部５９ｂの内周面には、前記容器体の口部に螺着される雌ねじ部が形成されている。
【００４１】
次に、以上のように構成された吐出ポンプ１０を用いて前記容器体内の内容物を吐出する方法について説明する。
この場合、まず押下ヘッド部１５を押し下げると、ステム部１４およびピストン筒部１３が、付勢手段３８の付勢力に抗しながら押し込められ、ピストン筒部１３がシリンダ部１２の直筒部１６の内周面に沿って下方に向けて摺動する。すると、収容室４１内の圧力が上昇し、上弁体部３９が上弁座部４０から離反して上弁座部４０が解放される。これにより、収容室４１内の内容物が、ステム部１４の立上がり筒部３７、押下ヘッド部１５の装着筒部４３およびノズル部４４の各内部を流通し、前記吐出孔から外部に吐出される。
【００４２】
その後、押下ヘッド部１５の押し下げを解除すると、上弁体部３９が上弁座部４０に着座して上弁座部４０が閉塞されるとともに、付勢手段３８の復元力によりステム部１４およびピストン筒部１３が押し上げられ、ピストン筒部１３がシリンダ部１２の直筒部１６の内周面に沿って上方に向けて摺動する。すると、収容室４１内の圧力が低下し、下弁体部２３に連結された前記弾性連結片２８が弾性変形する。これにより、下弁体部２３が下弁座部２２から離反して下弁座部２２が解放され、前記容器体内の内容物が、チューブ体２１および下弁座部２２の各内部を流通し、収容室４１内に流入される。
そして、ステム部１４およびピストン筒部１３が上昇限位置まで上昇させられ、ピストン筒部１３のシリンダ部１２に対する上方に向けた摺動が停止すると、下弁体部２３が下弁座部２２に着座して、下弁座部２２が閉塞される。
【００４３】
次に図５に示すように、例えば前記吐出ポンプ１０を備える前記容器体の搬送時や店舗における陳列時など、使用を開始する前の流通段階での吐出ポンプ１０について説明する。
流通段階では、押下ヘッド部１５が最上昇位置よりも下方に位置して押下された状態となっている。そして、押下ヘッド部１５の前記雌ねじ部４５と、規制部５４の前記雄ねじ部５７と、が螺合することにより、押下ヘッド部１５の上下方向に沿った移動が規制部５４により規制されている。これにより、押下ヘッド部１５が不用意に操作されることが抑制されている。
【００４４】
ここで、規制部５４により押下ヘッド部１５が上下方向に沿った移動を規制された状態で、弁筒部４９は、空気孔４７を閉塞するとともに、外ステム部５０は、ステム部１４の連結段部３５と上下方向に離間して対向している。図示の例では、ステム部１４の大径部３４の下部内には、弁部材２４の上筒部２６の上部が嵌合するとともに、ステム部１４の立上がり筒部３７の上端は、フランジ部１１よりも上側で、かつシリンダ部１２の突出筒部１８の上端よりも下側に位置している。また、外ステム部５０の上端は、ステム部１４の小径部３６および立上がり筒部３７よりも上方に位置するとともに、押下ヘッド部１５の補強壁部４６の下端に当接もしくは近接している。
【００４５】
前記流通段階の吐出ポンプ１０を使用する際には、押下ヘッド部１５の前記雌ねじ部４５と、規制部５４の前記雄ねじ部５７と、の螺合を解除し、押下ヘッド部１５の上下方向に沿った移動の規制を解除する。すると、付勢手段３８の付勢力により、ステム部１４およびピストン筒部１３が押し上げられ、ステム部１４の連結段部３５が、外ステム部５０の下端５０ａに下方から接近して係合する。これにより、外ステム部５０がステム部１４により押し上げられ、外ステム部５０に接続された弁筒部４９も、ステム部１４および外ステム部５０に伴って上昇し、該弁筒部４９により閉塞されていた空気孔４７が開放され、図１に示すような状態となる。
【００４６】
以上説明したように、本実施形態に係る吐出ポンプ１０によれば、空気孔４７が、前記連通路５１を通して外部に連通しているので、前記容器体内の圧力が上昇しようとしたときに、この圧力を、空気孔４７および連通路５１を通して前記容器体の外部に逃がすことが可能になり、未操作時に前記容器体内の内容物が前記吐出孔から漏出するのを抑制することができる。
【００４７】
また、規制部５４により押下ヘッド部１５が上下方向に沿った移動を規制された状態で、弁筒部４９が空気孔４７を閉塞するので、吐出ポンプ１０の使用を開始する前の流通段階では、前記容器体内の内容物が、空気孔４７を通して環状空間４８内に流入することで不意に外部に漏出するのを抑制することができる。
【００４８】
また、規制部５４による押下ヘッド部１５の移動の規制が解除されたときに、弁筒部４９がステム部１４に伴って上昇して空気孔４７を開放するので、吐出ポンプ１０を使用するときには、環状空間４８の拡縮に伴って、該環状空間４８内と前記容器体内とで空気を流通させることにより、スムーズな押下操作を実施できる。さらに、例えば前記容器体が高温環境下におかれた場合などであっても、前記容器体内と外部との連通を、空気孔４７、環状空間４８および連通路５１を通して良好に確保することが可能になり、前述の作用効果を奏功させることができる。
【００４９】
さらに本実施形態では、規制部５４による押下ヘッド部１５の移動の規制が解除されたときに、該外ステム部５０の下端５０ａにステム部１４の連結段部３５が下方から係合し、外ステム部５０をステム部１４により押し上げることで弁筒部４９を上昇させるので、弁筒部４９を円滑に上昇させることが可能になり、空気孔４７を確実に開放することができる。
【００５０】
そして、連通路５１の切欠き溝部５３が、ステム部１４の連結段部３５に形成されて主溝部５２と環状空間４８とを連通しているので、連結段部３５が、外ステム部５０の下端５０ａに下方から係合していても、連通路５１による環状空間４８と外部との連通を良好に確保することができる。
【００５１】
なお、本発明の技術的範囲は前記実施形態に限定されるものではなく、本発明の趣旨を逸脱しない範囲において種々の変更を加えることが可能である。
例えば、装着キャップ５９およびチューブ体２１はなくてもよい。
また前記実施形態では、ピストン筒部１３およびステム部１４は一体に形成されているものとしたが、ピストン筒部１３およびステム部１４は別体であってもよい。
【００５２】
また前記実施形態では、連通路５１が、主溝部５２と切欠き溝部５３とにより構成され、ステム部１４の外周面１４ａに溝状に形成されたものとしたが、ステム部１４の外周面１４ａ側に設けられていればこれに限られない。例えば本発明の参考例では、連通路５１が、外ステム部５０の内周面に溝状に形成されていてもよい。また本発明の参考例では、連通路５１が、ステム部１４の外周面１４ａと、外ステム部５０の内周面と、の間に設けられた隙間であってもよい。
また本発明の実施例では、連通路５１は、１つであっても、複数であってもよく、例えば周方向に間隔をあけて複数設けられていてもよい。
さらに本発明の参考例では、前記実施形態において、ステム部１４の外周面１４ａに前記連通路５１を設けず、外ステム部５０の内周面にのみ形成してもよい。また本発明の実施例では、ステム部１４の外周面１４ａと外ステム部５０の内周面の両方に連通路５１を形成してもよい。
【００５３】
また前記実施形態では、規制部５４による押下ヘッド部１５の移動の規制が解除されたときに、外ステム部５０の下端５０ａにステム部１４の連結段部３５が係合し、外ステム部５０をステム部１４により押し上げることで弁筒部４９を上昇させるものとしたが、弁筒部４９が、ステム部１４に伴って上昇して空気孔４７を開放すれば、適宜構成を変更することが可能である。例えば、本発明の実施例では、外ステム部５０の下端５０ａよりも上側に形成された被係合部に、連結段部３５が係合してもよい。さらに例えば、本発明の参考例では、外ステム部５０がなくてもよい。
さらにまた、本発明の参考例では、規制部５４および弁筒部４９はなくてもよい。
【００５４】
また、吐出ポンプ１０は、前記実施形態に示したものに限られない。本発明は、上下方向に延在し、外周面から径方向の外側に向けて、容器体の口部上に配置されるフランジ部が突設されたシリンダ部と、該シリンダ部内に上下摺動可能に嵌合されたピストン筒部と、該ピストン筒部に接続されるとともにシリンダ部内から上方に上方付勢状態で押込み可能に起立したステム部と、該ステム部の上端に装着されるとともに、吐出孔が形成された押下ヘッド部と、を備える吐出ポンプに、適用可能である。
例えば、下弁座部２２、下弁体部２３、上弁座部４０および上弁体部３９は、前記実施形態に示したものに限られない。
【００５５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５６】
１０  吐出ポンプ
１１  フランジ部
１２  シリンダ部
１３  ピストン筒部
１４  ステム部
１４ａ  外周面
１５  押下ヘッド部
３４  大径部
３５  連結段部
３６  小径部
４７  空気孔
４８  環状空間
４９  弁筒部
５０  外ステム部
５０ａ  下端（被係合部）
５１  連通路
５２  主溝部
５３  切欠き溝部
５４  規制部
【図１】
0005677872.tif 000002
【図２】
0005677872.tif 000003
【図３】
0005677872.tif 000004
【図４】
0005677872.tif 000005
【図５】
0005677872.tif 000006